(57)【要約】【課題】開けた蓋部が開封後の当初から起立状態となるように調整することができる一方、開けた蓋部の後方への大きな倒れ込みを防ぐことができる衛生薄葉紙収納箱を提供する。【解決手段】後面パネル５に折れ線ａを介して上面パネル３が連設される一方、該上面パネルの破断線に沿って分断された該上面パネルの一部が、前記折れ線をヒンジ軸ｈとして後方へ倒れて開状態の蓋部４となる衛生薄葉紙収納箱である。前記ヒンジ軸による閉方向への復元力を調整して開状態の蓋部を起立状態に維持すべく、後面パネルの破断線に沿って分離され、前記折れ線を介して蓋部４に付属させた復元力調整部８ａ，８ｂを備える。前記復元力調整部８ｂは前記蓋部の側縁を跨いで形成されて、該蓋部は、前記復元力調整部を介して前記折れ線を上面パネル３とのヒンジ軸とするのが望ましい。【選択図】　　　　　図４
2004026219.tif 000002
【特許請求の範囲】
【請求項１】
後面パネルに折れ線を介して上面パネルが連設される一方、該上面パネルの破断線に沿って分断された該上面パネルの一部が、前記折れ線をヒンジ軸として後方へ倒れて開状態の蓋部となる衛生薄葉紙収納箱において、
前記ヒンジ軸による閉方向への復元力を調整して開状態の蓋部を起立状態に維持すべく、前記後面パネルの破断線に沿って該後面パネルから分離され、前記折れ線を介して蓋部に付属させた復元力調整部を備えることを特徴とする衛生薄葉紙収納箱。
【請求項２】
前記復元力調整部は前記蓋部の側縁を跨いで形成されて、該蓋部は、前記復元力調整部を介して前記折れ線を上面パネルとのヒンジ軸とすることを特徴とする請求項１に記載の衛生薄葉紙収納箱。
【請求項３】
前記復元力調整部は前記蓋部の両側縁間に形成されることを特徴とする請求項１または２のいずれかに記載の衛生薄葉紙収納箱。
【請求項４】
前記上面パネルにおける破断線は、前記蓋部の側縁における前面パネル寄りの部分に凹または凸状の第１係合部を形成するように設定されており、前記蓋部を破断形成後に残存する上面パネルの両側縁部には、前記第１係合部の破断跡部として凸または凹状の第２係合部が対応形成され、
該第１係合部と第２係合部とは、前記蓋部の閉止状態において互いに係合することを特徴とする請求項１〜３のいずれかに記載の衛生薄葉紙収納箱。
【請求項５】
前記蓋部の先端には、指掛用凹部を形成するための切取線が設定されていることを特徴とする請求項１〜４のいずれかに記載の衛生薄葉紙収納箱。
【請求項６】
前記蓋部は、前記上面パネルに折れ線を介して連設する前面パネルにまで跨って形成されていることを特徴とする請求項１〜５のいずれかに記載の衛生薄葉紙収納箱。
【発明の詳細な説明】
【０００１】
【発明の属する技術分野】
本発明はキッチンペーパー等の衛生薄葉紙収納箱に関する。
【０００２】
【従来の技術】
従来から、キッチンペーパー等の衛生薄葉紙収納箱には、図８の側面図に示すような直方体の紙箱１１が使用されている。そして、その前面パネル９と上面パネル５とに跨る一部が、破断線に沿って分断開封されて、もって当該一部４が、上面パネル３との折れ線ｋをヒンジ軸ｈとして開閉可能な蓋部４となるようになっている。開封後は、この蓋部４を適宜開閉して、箱内に折り畳まれ収納された複数枚のシート状キッチンペーパーを一枚ずつ取り出して使用する。
【０００３】
【発明が解決しようとする課題】
この上面パネル３にヒンジ軸ｈを有する収納箱１１にあっては、蓋部４が小さいためキッチンペーパーの取り出し性が悪い。このため、本願出願人は、先の特願２００２−１７４２５１号において、取り出し性を改善すべく、蓋部開閉用の前記ヒンジ軸ｈとして、上面パネル３と後面パネル５との間の角部としての折れ線ａを利用した衛生薄葉紙収納箱を開示している（図９を参照）。
【０００４】
ところで、キッチンペーパーは調理中での使用が多いため、片手で取り出せるように、蓋部４を開いた状態に維持できるのが好ましい一方、調理の際に飛散した油や水等からキッチンペーパーを適宜保護すべく、開状態の蓋部４はすぐ閉められるような位置にあるのが好ましい。すなわち、具体的には、開いた蓋部４が起立状態を維持できるのが望ましい。そして、この起立状態は、後方へ傾倒した蓋部４重心Ｐに作用する自重Ｗによるヒンジ軸ｈ周りの傾倒モーメントＭｗと、後面パネル５とのヒンジ軸ｈから、蓋部４に付与される閉方向の復元力による復元モーメントＭｈとがバランスした時に達成される。
【０００５】
しかしながら、前記特願２００２−１７４２５１号において収納箱１０の角部としての折れ線ａをヒンジ軸ｈとして利用する場合には、このヒンジ軸ｈには前記角部としての、前記後方への傾倒と逆方向の折り癖がついている。このため、特に開封後の当初においては、前記ヒンジ軸ｈ自体の剛性が強いことに起因して、前記傾倒モーメントＭｗに比べて復元モーメントＭｈが大きくなり過ぎてしまい、もって、蓋部４をヒンジ軸ｈ中心に後方へ倒して開けても、閉方向に戻されてしまい起立状態を維持させることは困難となる。そして、キッチンペーパーの取り出しの都度、蓋部４を開けなければならず、その使用は甚だ不便となる虞があることを知った。
【０００６】
また、開封後の当初に、蓋部４を後方へ大きく折り返すことにより、前記ヒンジ軸ｈに起立状態の折り癖をなんとかつけることができたとしても、当該収納箱を引き続き使用しているうちに、開けた蓋部４が後方へ大きく倒れ込んでしまい起立状態を維持できなくなるという逆の問題が生じる虞があることも知った。
【０００７】
本発明はかかる従来の課題に鑑みて成されたもので、開けた蓋部が開封後の当初から起立状態となるように調整することができる一方、開けた蓋部の後方への大きな倒れ込みを防ぐことができる衛生薄葉紙収納箱を提供することを目的とする。
【０００８】
【課題を解決するための手段】
かかる目的を達成するために請求項１に示す発明は、後面パネルに折れ線を介して上面パネルが連設される一方、該上面パネルの破断線に沿って分断された該上面パネルの一部が、前記折れ線をヒンジ軸として後方へ倒れて開状態の蓋部となる衛生薄葉紙収納箱において、前記ヒンジ軸による閉方向への復元力を調整して開状態の蓋部を起立状態に維持すべく、前記後面パネルの破断線に沿って該後面パネルから分離され、前記折れ線を介して蓋部に付属させた復元力調整部を備えることを特徴とする。
【０００９】
上記発明によれば、後面パネルの破断線に沿って分離した後は、当該復元力調整部は蓋部に付属しているので、蓋部の開閉動作にほぼ連動して後面パネルから開閉する。この時、復元力調整部上の折れ線は、少なくとも後面パネルとの関係においては、蓋部のヒンジ軸としては機能しないため、前記ヒンジ軸から蓋部に付与される閉方向の復元力は弱められる。
【００１０】
したがって、この復元力調整部を適宜形成することにより、前記ヒンジ軸から蓋部に付与される閉方向の復元力を調整することができて、もって後方へ倒した蓋部を起立状態に設定し易くなる。
【００１１】
請求項２に示す発明は、請求項１に記載の衛生薄葉紙収納箱において、前記復元力調整部は前記蓋部の側縁を跨いで形成されて、該蓋部は、前記復元力調整部を介して前記折れ線を上面パネルとのヒンジ軸とすることを特徴とする。
【００１２】
上記発明によれば、前記復元力調整部は前記蓋部の側縁を跨いで形成されており、該蓋部は、これに付属する前記復元力調整部を介して前記折れ線を上面パネルとのヒンジ軸としている。よって、蓋部が開閉動作をすると、蓋部に付属する復元力調整部も連動して開閉し、この時、前記復元力調整部の上面パネルとの折れ線は、蓋部にとっては上面パネルとのヒンジ軸として機能する。よって、蓋部には、前記後面パネルとのヒンジ軸とは別に、この上面パネルとのヒンジ軸からも閉方向の復元力が付与される。この復元力は、前記後面パネルとのヒンジ軸からの復元力とは異なる特性を有し、具体的には、開いた蓋部が鉛直に起立した状態から後方へ倒れるあたりにて急激に大きくなる特性を有する。よって、蓋部の後方への大きな倒れ込みを有効に抑制することができて、もって蓋部を適度な起立状態に維持することができる。
【００１３】
この上面パネルとのヒンジ軸からの復元力が、前記後面パネルとのヒンジ軸からのものと異なる特性を持つ理由は、これら二つのパネルが蓋部との間で形成する夾角の相違に起因している。つまり、前記蓋部が鉛直に起立した状態から後方へ倒れるあたりにおいては、後面パネルと蓋部との夾角は鈍角になっているため、この夾角が小さくなることに対する、前記後面パネルとのヒンジ軸の抵抗力は小さい。これに対して、蓋部に付属する前記復元力調整部と上面パネルとの夾角は鋭角になっているので、この鋭角な夾角が小さくなる際には、上面パネルとのヒンジ軸には大きな抵抗力が発生し、もって蓋部の上面パネルとのヒンジ軸からは蓋部に大きな復元力が付与されるのである。
【００１４】
尚、この抵抗力は夾角の大きさに応じて変化するが、その変化は線形ではなく、特に夾角が鋭角になると急激に大きくなる。よって、蓋部が鉛直に起立した状態近傍では前記復元力は小さく、そこから後方へ倒れて寝てくると急激に大きくなって作用する。よって、蓋部の後方への大きな倒れ込みを効果的に抑制することができる。
【００１５】
請求項３に示す発明は、請求項１または２のいずれかに記載の衛生薄葉紙収納箱において、前記復元力調整部は前記蓋部の両側縁間に形成されることを特徴とする。
【００１６】
上記発明によれば、前記復元力調整部は蓋部の両側縁の間に形成されており、当該復元力調整部は後面パネルは元より、上面パネルとも分離されている。よって、前記折れ線の復元力調整部上における部分は、蓋部の後面パネルとのヒンジ軸および蓋部の上面パネルとのヒンジ軸のいずれとしても機能しない。したがって、このように復元力調整部を形成することにより、ヒンジ軸から蓋部に付与される閉方向の復元力を確実に弱める方向に調整をすることができる。
【００１７】
請求項４に示す発明は、請求項１〜３のいずれかに記載の衛生薄葉紙収納箱において、前記上面パネルにおける破断線は、前記蓋部の側縁における前面パネル寄りの部分に凹または凸状の第１係合部を形成するように設定されており、前記蓋部を破断形成後に残存する上面パネルの両側縁部には、前記第１係合部の破断跡部として凸または凹状の第２係合部が対応形成され、該第１係合部と第２係合部とは、前記蓋部の閉止状態において互いに係合することを特徴とする。
【００１８】
上記発明によれば、蓋部に形成された第１係合部と、上面パネルの両側縁部に形成された第２係合部とが蓋部の閉止状態において係合するので、前記ヒンジ軸の折り癖に起因して浮き上がろうとする蓋部をしっかりと閉じることができて、もって箱内の衛生薄葉紙を衛生的に保つことができる。
【００１９】
請求項５に示す発明は、請求項１〜４のいずれかに記載の衛生薄葉紙収納箱において、前記蓋部の先端には、指掛用凹部を形成するための切取線が設定されていることを特徴とする。
上記発明によれば、蓋部を破断形成後は、前記指掛用凹部に指を引っかけることにより、前記蓋部を指一本で開けることが可能となる。
【００２０】
請求項６に示す発明は、請求項１〜５のいずれかに記載の衛生薄葉紙収納箱において、前記蓋部は、前記上面パネルに折れ線を介して連設する前面パネルにまで跨って形成されていることを特徴とする。
上記発明によれば、蓋部を破断形成後は、前記指掛用凹部に指を引っかけることにより、前記蓋部を指一本で開けることが可能となる。
【００２１】
【発明の実施の形態】
以下、本発明に係る実施形態を添付図面を参照して詳細に説明する。
図１は本発明に係る第１実施形態の衛生薄葉紙収納箱の、蓋部開状態での斜視図、図２は開封前の前記衛生薄葉紙収納箱の斜視図、図３は前記衛生薄葉紙収納箱用ブランクの展開図である。また、図４は蓋部を開けた衛生薄葉紙収納箱を斜め後方から見た斜視図であって、一部を拡大して示している。図５は、蓋部閉止状態の衛生薄葉紙収納箱を後方から見た斜視図である。
【００２２】
図１に示す本第１実施形態に係る収納箱１は、坪量が３００〜４５０ｇ／ｍ２の厚紙（化学パルプ、またははり合わせ板紙からなる紙）からなり、組立後には、幅が２５０ｍｍ、奥行が１２０ｍｍ、そして高さが８０ｍｍの直方体形状になるものである。
【００２３】
この箱内には、例えば２枚重ねを一組とする１９８×２２９ｍｍの矩形状キッチンペーパー（不図示）が二つまたは三つ折りの状態で、高さ方向に例えば７５組が重ねられて収納されている。
【００２４】
そして、前記収納箱１に設定された図２に示す破断線６に沿って、前面パネル９と上面パネル３とに跨る蓋部４を分断形成して開封し、図１に示す開封後には、この蓋部４を適宜開閉してキッチンペーパーを一枚ずつ取り出せるようになっている。
尚、上記寸法は代表値であって、適宜変更しても良いのは言うまでもない。
【００２５】
この収納箱１のブランクを図３に示すが、このブランクは、長方形の上面パネル３の長辺の一方に折れ線ａ，ｂを介して、後面パネル５および底面パネル７がこの順に連設される一方、前記上面パネル３のもう一方の長辺に折れ線ｃ，ｄを介して前面パネル９および糊代片１１がこの順に連設され、また上面パネル３、後面パネル５、底面パネル７、および前面パネル９の残る両辺のそれぞれに折り込みフラップＦ３，Ｆ５，Ｆ７，Ｆ９が連設された構成となっている。
【００２６】
このうち前面パネル９および上面パネル３の両者には、これらに跨る蓋部４を分断形成するための蓋部用破断線６たるミシン目が、両パネル９，３の幅方向の中央線に関して線対称に設定されている。この破断線６は、前記折れ線ａ上の二点を両端６ｆとする略コ字状に設定されており、もって、図１に示すように、開封により分断形成される蓋部４はほぼ矩形状となる一方、分断形成後の上面パネル３および前面パネル９の両側には略一定幅の側縁部３ｂ，９ｂが残存し、また前面パネル９の下部には下縁９ｄから一定幅の下縁部９ａが残存するようになっている。そして、この蓋部４は、前記折れ線ａをヒンジ軸ｈとして後方へ倒れて開状態に、また前方へ倒れて閉状態となる。
【００２７】
図３に示すように、この蓋部４の幅は、上面パネル３に位置する部分よりも前面パネル９に位置する部分の方が狭い二段幅になっており、つまり上面パネル３における前面パネル９直近の部分にて一段階括れて狭くなっている。そして、この括れ部は、図１に示す開封後には、蓋部４の両側縁に凹状の第１係合部４ｃを、また上面パネル３の両側縁部３ｂには、第１係合部４ｃの破断跡部としての凸状の第２係合部３ｃを形成し、この第１および第２係合部４ｃ，３ｃは、閉じた蓋部４を閉止状態に維持するためのロック機構として機能する。つまり、蓋部４を閉じた際には、第２係合部３ｃの下方に第１係合部４ｃが入り込んで軽く引っかかり、もって蓋部４はしっかりと閉止されるようになっている。
【００２８】
また、図３に示すように、この破断線６は、前記ヒンジ軸ｈたる折れ線ａ近傍から折れ線ａにかけて四分円に描かれており、もって蓋部幅はヒンジ軸ｈ近傍にてなだらかに拡幅している。
【００２９】
更に、蓋部先端縁に該当する破断線６の幅中央には、前記蓋部先端縁に指掛用凹部４ｅを切り取り形成するための半円形状切取線６ｅが、前記破断線６ｄから分岐形成されている。
【００３０】
ここで、本発明に係る後面パネル５には、後面パネル５の一部を分離して復元力調整部８ａ，８ｂを形成するための破断線１８ａ，１８ｂがミシン目にて設定されている。そして、後面パネル５から分離された復元力調整部８ａ，８ｂは、前記折れ線ａを介して蓋部４に付属するようになっている。この復元力調整部８ａ，８ｂは、前記ヒンジ軸ｈから蓋部４に付与される閉方向の復元力を調整するためのものであり、後面パネル５における復元力調整部８ａ，８ｂの配置位置によって、前記復元力を弱めるための第１調整部８ａと、蓋部４の後方への大きな倒れ込みを有効に阻止する復元力を付与可能な第２調整部８ｂとの二種類に大別される。
【００３１】
第１調整部８ａは、後面パネル５における、蓋部４の両側縁の間の部分に形成される。本第１実施形態にあっては、後面パネル５の幅方向の中央に、第１調整部用の破断線１８ａが一つ設定されている。この第１調整部用破断線１８ａは、前記折れ線ａの幅中心ａ４を円心とする半円弧状に形成されており、その２つの円弧端１８ｂは折れ線ａ上に設定されている。
【００３２】
図４に示すように第１調整部８ａを分離形成後には、この第１調整部８ａは折れ線ａを介して蓋部４に付属し、もって蓋部４の開閉動作とほぼ連動して後面パネル５から開閉する。例えば、蓋部４が開く際には、この第１調整部８ａは、後面パネル５にほぼ面一の状態から箱内側へ開く一方、蓋部４が閉まる際には箱外側へ向かって閉じて、図５に示す蓋部閉止状態にて後面パネル５とほぼ面一に復帰する。
【００３３】
ところで、通常、蓋部４を開ける際には、蓋部４に対して、後面パネル５とのヒンジ軸ｈから閉方向の復元力が付与される。ここで、前記第１調整部８ａは、前述の通り、蓋部４に付属してその開閉に連動して後面パネル５から開閉するので、前記折れ線ａにおける第１調整部上の部分ａ１は、もはや後面パネル５とのヒンジ軸ｈとしては機能しない。よって、この分だけ、ヒンジ軸として有効に機能する長さが短くなるため、当該ヒンジ軸ｈから蓋部４に付与される閉方向の復元力は弱まる。
【００３４】
つまり、この第１調整部８ａを形成することによって、後面パネル５とのヒンジ軸ｈから蓋部４に付与される閉方向の復元力を弱める調整ができて、後方へ倒した蓋部４を起立状態に容易に設定することが可能となる。
【００３５】
尚、本第１実施形態にあっては、図３に示すように前記第１調整部用破断線１８ａを一つだけ設定したが、この破断線１８ａを前記折れ線ａに沿わせて予め複数配置しておくと良い。このようにすれば、実際に分離する数を変えることにより、所望の起立状態に調整することができる。
【００３６】
一方、同図に示すように、第２調整部８ｂは、前記蓋部４の側縁を跨いで後面パネル５に形成されていて、もって第２調整部８ｂは、この第２調整部上の折れ線ａの一部ａ２を介して蓋部４に付属する一方、残りの折れ線ａ３を介して上面パネル３に接続される。詳細には、蓋部４の両側縁のそれぞれに一つずつ第２調整部８ｂを対応形成すべく、第２調整部用破断線１８ｂは対で設定されている。この破断線１８ｂは、後面パネル５に、前記蓋部用破断線６の両端６ｆを円心とする半円弧状に形成されている。よって、この第２調整部用破断線１８ｂに沿って分離形成された第２調整部８ｂは、前記折れ線ａのうちの蓋部用破断線６側縁の内側部分ａ２を介して蓋部４に従属する一方、前記側縁の外側部分ａ３を介して上面パネル３の側縁部に接続する。
【００３７】
そして、図４に示すようにこの第２調整部８ｂは、蓋部４の開閉動作とほぼ連動して後面パネル５から開閉する。例えば、蓋部４が開く際には、この第２調整部８ｂは、後面パネル５とほぼ面一の状態から箱内側へ開いて、上面パネル３と重なる方向に傾動する一方、蓋部４が閉まる際には、上面パネル裏面から離れる方向に傾動して、図５に示す蓋部閉止状態にて後面パネル５とほぼ面一に復帰する。
【００３８】
そして、この開閉時には、図４に示すように、前記上面パネル３の側縁部との折れ線ａ３は、上面パネル３との蓋部４のヒンジ軸ｈ３として機能する。よって、蓋部４には、前記後面パネル５とのヒンジ軸ｈとは別に、この上面パネル３とのヒンジ軸ｈ３からも閉方向の復元力が付与される。この復元力は、前記後面パネル５とのヒンジ軸ｈからの復元力とは異なる特性を有し、具体的には、図６の側断面図にて示すように、開いた蓋部４が鉛直に起立した状態から後方へ倒れるあたりにて急激に大きくなる特性を有する。よって、蓋部４の後方への大きな倒れ込みを有効に抑制することができて、もって蓋部４を適度な起立状態に維持することができる。
【００３９】
この上面パネル３とのヒンジ軸ｈ３からの復元力が、前記後面パネル５とのヒンジ軸ｈからのものと異なる特性を持つ理由は、これら二つのパネル３，５が蓋部４との間で形成する夾角Θ，Θ３の相違に起因している。つまり、前記蓋部４が鉛直に起立した状態から後方へ倒れるあたりにおいては、後面パネル５と蓋部４との夾角Θは鈍角になっているため、この夾角Θが小さくなることに対する、前記後面パネル５とのヒンジ軸ｈの抵抗力は小さい。これに対して、蓋部４に付属する前記第２調整部８ｂと上面パネル３との夾角Θ３は鋭角になっているので、この夾角Θ３が小さくなる際には、上面パネル３とのヒンジ軸ｈ３には大きな抵抗力が発生し、この抵抗力が上面パネル３とのヒンジ軸ｈ３からの復元力として蓋部４に付与される。よって、上面パネル３とのヒンジ軸ｈ３からは大きな復元力が付与されるのである。
【００４０】
尚、この抵抗力は夾角Θ，Θ３の大きさに応じて変化するが、その変化は線形ではなく、特に夾角Θ，Θ３が鋭角になると急激に大きくなる。よって、蓋部４が鉛直に起立した状態近傍では前記復元力は小さく、そこから後方へ倒れて寝てくると急激に大きくなって作用する。よって、蓋部４の後方への大きな倒れ込みを効果的に抑制することができる。
【００４１】
次に、このブランクを収納箱１に組み立てる手順について説明する。
先ず、図３に示す折れ線ｂ，ｃのところで折ってブランクを平坦な三つ折り状態にしつつ、前記糊代片１１を底面パネル７に接着する。そして、これを折れ線ａ，ｂ，ｃ，ｄにより四角筒状に起こした後、この四角筒体のいずれか一方の開口の折れ込みフラップＦ３，Ｆ５，Ｆ７，Ｆ９を折り込んで接着し側面開口を閉鎖する。次いで、残る他方の開口から、キッチンペーパーの束を充填した後、他方の開口の折れ込みフラップＦ３，Ｆ５，Ｆ７，Ｆ９を折り込んで接着し側面開口を閉鎖する。そして、図２に示すようなキッチンペーパーを収納した収納箱１ができあがる。
【００４２】
次に、この収納箱１の開封手順について説明する。
この収納箱１を開封するには、図２に示す指掛用凹部の切取線６ｅに指を押し込んで指掛用凹部４ｅを開ける一方、その指先で指掛用凹部４ｅを上方へ引き上げる。すると、前記破断線６に沿って、蓋部先端縁から折れ線ａに至るまでの部分が順次分断して、つまり図１に示すように蓋部４が、前面パネル９および上面パネル３の両側縁部等９ａ，９ｂ，３ｂを残しつつ分離して、これにより前記折れ線ａをヒンジ軸ｈとして開閉する蓋部４が形成される。
【００４３】
その後で、前記第１および第２調整部用破断線１８ａ，１８ｂに指を押し込んで、第１および第２調整部８ａ，８ｂを後面パネル５から分離形成して開封作業は完了する。尚、この時、第１調整部８ａについては、必ずしも分離する必要はなく、蓋部４の起立状態に応じて分離するか決めても良い。
【００４４】
そして、この開封以降にあっては、適宜キッチンペーパーを取り出したい時に蓋部４を開けて、キッチンペーパーを取り出せば良いのであるが、本第１実施形態によれば、前記指掛用凹部４ｅに指を引っかけることにより、閉止状態の蓋部４を指一本で開けることが可能となる。
【００４５】
また、前述したように、この蓋部４は、予め第１調整部８ａを形成することにより、後面パネル５とのヒンジ軸ｈからの復元力を弱める調整がなされているので、開封後の当初から、図６に示すように、後方へ倒した蓋部４の自重による傾倒モーメントＭｗとヒンジ軸ｈの剛性による前方への復元モーメントＭｈとをバランスさせることができて、もって後方へ倒した蓋部４を起立状態に容易に設定することができる。
【００４６】
更には、第２調整部８ｂによって、開いた蓋部４が鉛直に起立した状態から後方へ倒れるあたりにおいて、前記上面パネル３とのヒンジ軸ｈ３から大きな閉方向の復元力を蓋部４は付与される。よって、蓋部４の後方への大きな倒れ込みを抑制することができて、もって蓋部４を適度な起立状態に維持することができる。
【００４７】
図７は本発明に係る第２実施形態の衛生薄葉紙収納箱を形成するブランクの展開図である。尚、前記第１実施形態形と同一構成部分には同一符号を付して重複する説明は省略する。
【００４８】
前記第１実施形態は、一つの第２調整部８ｂが、蓋部４の一方の側縁のみを跨いで形成されていたところ、本第２実施形態では、一つの第２調整部２８ｂが蓋部４の両側縁を跨いで形成されている点で主に相違する。
つまり、図７に示すように、後面パネル５には、折れ線ａ上におけるヒンジ軸ｈより外側の二点を両端２８ｃとする、略コ字状の第２調整部用破断線３８ｂが設定されており、もってこの破断線３８ｂに沿って第２調整部２８ｂが形成されるようになっている。この結果、第２調整部２８ｂを分離形成後の蓋部４は、後面パネル５と完全に縁切りされており、もって上面パネル３の両側縁部とのヒンジ軸ｈ３のみに支持されて開閉動作をする。
【００４９】
また、第１実施形態では、蓋部の幅を、上面パネル３に位置する部分よりも前面パネル９に位置する部分の方が狭い二段幅にしたが、本第２実施形態の蓋部２４は、逆に、上面パネル３に位置する部分よりも前面パネル９に位置する部分の方が広い二段幅にしており、つまり上面パネル３における前面パネル９直近の部分にて一段階拡幅している。そして、この拡幅部は、蓋部２４の開封後には、蓋部２４の両側縁に凸状の第１係合部２４ｃを、また上面パネル３の両側縁部３ｂには、第１係合部２４ｃの破断跡部としての凹状の第２係合部２３ｃを形成し、この第１および第２係合部２４ｃ，２３ｃは、閉じた蓋部２４を閉止状態に維持するためのロック機構として機能する。つまり、蓋部２４を閉じた際には、第２係合部２３ｃの下方に第１係合部２４ｃが入り込んで軽く引っかかり、もって蓋部２４はしっかりと閉止されるようになっている。
【００５０】
更には、前記第１実施形態の蓋部幅は、ヒンジ軸ｈ近傍からヒンジ軸ｈにかけてなだらかに拡幅するようにしていたが、本第２実施形態では、拡幅せずに同一幅になっている。
【００５１】
以上、本発明に係る実施形態について説明したが、本発明は、かかる実施形態に限定されるものではなく、その要旨を逸脱しない範囲で以下に示すような変形が可能である。
【００５２】
本実施形態においては、第１および第２調整部８ａ，８ｂの形状として半円形を例示したが、蓋部４と上面パネル３とを前記折れ線ａを介して接続するものであればこれに限るものではない。例えば、矩形、菱形、三角形等にしても良い。
【００５３】
本実施形態においては、蓋部用破断線６，２６の形状として略矩形を示したが、これに限るものではなく、六角形等の多角形にしても良い。
【００５４】
本実施形態においては、収納される衛生薄葉紙としてキッチンペーパーを例示したが、これに限るものではなく、ティッシュペーパーを収納しても良い。また、キッチンペーパーとして矩形シート、すなわち枚葉物を例示したが、これに限るものではなく、キッチンペーパーをロール状に巻いた巻物を収納しても良い。
【００５５】
本実施形態においては、収納箱１の素材として厚紙を例示したが、場合によっては段ボール（ボール紙）であっても良い。更には合成樹脂フィルムをラミネートしてなる複合紙を用いることもできる。
【００５６】
【発明の効果】
以上説明したように、本発明によれば、開けた蓋部が開封後の当初から起立状態となるように調整することができる一方、開けた蓋部の後方への大きな倒れ込みを防ぐことができる衛生薄葉紙収納箱を提供することができる。
【図面の簡単な説明】
【図１】本発明に係る第１実施形態の衛生薄葉紙収納箱の斜視図であって、その蓋部を開けた状態を示す。
【図２】開封前における前記衛生薄葉紙収納箱の斜視図である。
【図３】前記衛生薄葉紙収納箱用ブランクの展開図である。
【図４】蓋部を開けた前記衛生薄葉紙収納箱を斜め後方から見た斜視図であって、一部を拡大して示す。
【図５】蓋部閉止状態の前記衛生薄葉紙収納箱を後方から見た斜視図である。
【図６】蓋部を開けた前記衛生薄葉紙収納箱の側断面図である。
【図７】本発明に係る第２実施形態の衛生薄葉紙収納箱用ブランクの展開図である。
【図８】従来の衛生薄葉紙収納箱の側面図であって、その蓋部を開けた状態を示す。
【図９】検討中の衛生薄葉紙収納箱の側面図であって、その蓋部を開けた状態を示す。
【符号の説明】
１　衛生薄葉紙収納箱
３　上面パネル
４　蓋部
５　後面パネル
６　蓋部用破断線
８ａ　第１調整部（復元力調整部）
８ｂ　第２調整部（復元力調整部）
１８ａ　第１調整部用破断線
１８ｂ　第２調整部用破断線
ａ〜ｄ　折れ線
ｈ　後面パネルとの蓋部のヒンジ軸
ｈ３　上面パネルとの蓋部のヒンジ軸
【図１】
2004026219.tif 000003
【図２】
2004026219.tif 000004
【図３】
2004026219.tif 000005
【図４】
2004026219.tif 000006
【図５】
2004026219.tif 000007
【図６】
2004026219.tif 000008
【図７】
2004026219.tif 000009
【図８】
2004026219.tif 000010
【図９】
2004026219.tif 000011